(57)【要約】【課題】部品サイズの拡大やコスト増大の問題を抑制しつつランプ交換時の安全性を高めることができる口金を提供する。【解決手段】口金１ａには外周面に開口する操作用穴２２が形成され、内部には固定スイッチ片２６と可動スイッチ片２８とからなるスイッチ２４が設けられている。直管形ＬＥＤランプを照明器具に装着した後に、操作用穴２２から操作用部材３０を挿入して可動スイッチ片２８を変形させ、操作用部材３０を引き抜くとスイッチ２４がオンとなる。作業者は外部からスイッチ２４に触れることができないので、直管形ＬＥＤランプの交換時の作業者が接触可能な部分に電流が流れる危険性を抑制することができる。【選択図】図２
2016051643.tif 000002
【特許請求の範囲】
【請求項１】
棒状のランプ本体の端部に設けられ、灯器具のソケットに装着される一対の端子を備えた口金であって、
内部に設けられ、前記一対の端子と前記ランプ本体との間を導通させて前記ランプ本体を点灯させるためのスイッチと、
外周面に開口する操作用穴と、
を有し、
前記操作用穴から操作用部材を挿入して前記スイッチをオンさせることが可能な口金。
【請求項２】
請求項１に記載の口金において、
前記スイッチが、前記操作用部材で押圧することによってオン状態となる構成を有している口金。
【請求項３】
請求項１又は２に記載の口金において、
前記ランプ本体の端部に固定される固定筒体と、
前記固定筒体の外側又は内側に位置するように嵌合され、前記ランプ本体の長手方向にスライド可能な可動筒体と、
前記可動筒体を前記ランプ本体の長手方向の端部側へ常時突出するように付勢する付勢部材と、
を備え、
前記一対の端子は前記固定筒体と前記可動筒体のいずれか一方に設けられ、
前記操作用穴は前記固定筒体と前記可動筒体のうち少なくとも内側に位置する方に設けられ、
前記スイッチは、前記灯器具から取り外したときに前記可動筒体の突出動作に連動してオフとなる構成を有している口金。
【請求項４】
請求項３に記載の口金において、
前記固定筒体と前記可動筒体のそれぞれに前記操作用穴が形成され、前記灯器具のソケットに前記一対の端子を装着したときに前記各操作用穴が重なり合う口金。
【請求項５】
請求項４に記載の口金において、
前記灯器具のソケットに前記一対の端子を装着しない状態では、前記操作用穴のうち内側に位置する操作用穴は外側に位置する操作用穴を有する部材で塞がれている口金。
【請求項６】
請求項４に記載の口金において、
前記灯器具のソケットに前記一対の端子を装着しない状態では、前記内側に位置する操作用穴から前記操作用部材を挿入して押圧しても前記スイッチをオンにできない口金。
【請求項７】
棒状のランプ本体と、
前記ランプ本体内に配置された半導体発光素子と、
前記ランプ本体の両端部に設けられた、請求項１〜６のいずれか１つに記載の口金と、
を有する直管形ＬＥＤランプ。
【請求項８】
請求項７に記載の直管形ＬＥＤランプと、該直管形ＬＥＤランプを装着する灯器具とを備えた照明装置。
【発明の詳細な説明】
【技術分野】
【０００１】
本発明は、ＬＥＤ（Light Emitting Diode）を光源とする直管形ＬＥＤランプ、該直管形ＬＥＤランプに用いられる口金、該直管形ＬＥＤランプを備えた照明装置に関する。
【背景技術】
【０００２】
近年、光源にＬＥＤを用いたＬＥＤランプが普及している。
ＬＥＤランプにおいては、従来の照明器具と比べて消費電力や二酸化炭素の排出量を大幅に低減できるとともに、製品寿命も大幅に拡大できる利点がある。
このため、従来の蛍光灯に代替する照明器具として直管形ＬＥＤランプが注目されている。
【０００３】
両側給電方式である既存の蛍光灯器具を、安定器についての工事をすることなくそのまま用いるタイプでは、蛍光灯から直管形ＬＥＤランプに交換する際に、作業者が接触可能な部分に電流が流れる事態を防ぐための安全対策が講じられている。
例えば、内蔵電源の回路により、口金の端子がソケットに挿入されたことを検知し、検知された後に導通させる構成が知られている。
しかしながら、このような構成では、回路が煩雑になり、部品サイズ拡大やコスト増大の要因となる。
【０００４】
口金の外面に突出する操作片を備え、口金の端子がソケットに挿入されて操作片が押し込まれたときに導通させるスイッチを内蔵した直管形ＬＥＤランプも提案されている（例えば特許文献１）。
口金の端子がソケットに完全に挿入されない状態では導通せず、これにより安全性を確保するものである。
【発明の概要】
【発明が解決しようとする課題】
【０００５】
しかしながら、口金の外面にスイッチをオン・オフさせる操作片を突出させる構成では、作業者が操作片に触ることができるため、操作片を押しながらランプを交換するなど、設計者が意図しない交換方法を実施した場合には、安全性が確保できないという問題があった。
【０００６】
本発明は、このような現状に鑑みてなされたもので、部品サイズの拡大やコスト増大の問題を抑制しつつランプ交換時の安全性を高めることができる口金の提供を、その主な目的とする。
【課題を解決するための手段】
【０００７】
上記目的を達成するために、本発明は、棒状のランプ本体の端部に設けられ、灯器具のソケットに装着される一対の端子を備えた口金であって、内部に設けられ、前記一対の端子と前記ランプ本体との間を導通させて前記ランプ本体を点灯させるためのスイッチと、外周面に開口する操作用穴と、を有し、前記操作用穴から操作用部材を挿入して前記スイッチをオンさせることが可能である。
【発明の効果】
【０００８】
本発明によれば、部品サイズの拡大やコスト増大の問題を抑制しつつランプ交換時の安全性を高めることができる。
【図面の簡単な説明】
【０００９】
【図１】本発明の第１の実施形態に係る直管形ＬＥＤランプの口金部分の斜視図である。
【図２】口金内のスイッチのオン操作を示す概要断面図で、（ａ）は操作前の状態を示す図、（ｂ）は操作用部材で押圧して可動スイッチ片を変形させた状態を示す図、（ｃ）は操作用部材を引き抜いてスイッチがオンとなった状態を示す図である。
【図３】第２の実施形態に係る直管形ＬＥＤランプの口金部分の斜視図である。
【図４】口金内のスイッチ構成を示す概要断面図で、（ａ）は直管形ＬＥＤランプを照明器具に装着していない状態を示す図、（ｂ）は装着後の状態を示す図である。
【図５】口金内のスイッチのオン操作を示す概要断面図で、（ａ）は操作用部材を挿入した状態を示す図、（ｂ）は操作用部材で押圧して可動スイッチ片を変形させた状態を示す図、（ｃ）は可動スイッチ片が固定スイッチ片を乗り越えた状態を示し図、（ｄ）は操作用部材を引き抜いてスイッチがオンとなった状態を示す図である。
【図６】照明装置の分解斜視図である。
【図７】直管形ＬＥＤランプのカバーを取り外した状態の斜視図である。
【図８】直管形ＬＥＤランプの筐体の一部をカットし、口金を外した状態の斜視図である。
【図９】直管形ＬＥＤランプの構成を示す図で、（ａ）は一端部における一部切り欠きの分解斜視図、（ｂ）は他端部における一部切り欠きの分解斜視図である。
【図１０】ＬＥＤ基板の実装構成を示す図で、（ａ）は一端部の分解斜視図、（ｂ）は他端部の分解斜視図である。
【発明を実施するための形態】
【００１０】
以下、本発明の実施形態を図を参照して説明する。
まず、図６乃至図１０に基づいて、各実施形態に共通の直管形ＬＥＤランプ及び照明装置の概要構成を説明する。
図６は、照明装置２００の外観を示す分解斜視図である。照明装置２００は、直管形ＬＥＤランプ１００と、直管形ＬＥＤランプ１００を装着する照明器具（灯器具）１５０とを備えている。
照明器具１５０は、蛍光灯を点灯させるための既存の器具と同じものであり、ソケット１５１ａ、１５１ｂの穴位置に合わせて直管形ＬＥＤランプ１００の給電用の端子（４ａ、４ｂ，４ｃ、４ｄ）を差し込む。
ソケットへの端子装着後、後述する内蔵スイッチを作業者が内部へのアクセス操作によってオン状態にすると、端子間が導通し、ソケットから給電される商業用電流が端子を介して直管形ＬＥＤランプ１００内の後述するＬＥＤに流れ、直管形ＬＥＤランプ１００が点灯する。
【００１１】
直管形ＬＥＤランプ１００は、主に、棒状の筐体２と、透光性のカバー３と、照明器具１５０に電気的に接続可能な口金１ａ、１ｂとから構成されている。
直管形ＬＥＤランプ１００のうち、口金１ａ、１ｂを除く部分はランプ本体としてなる。
本実施形態では、カバー３は透明のものを用いている。カバー３は光を拡散する拡散材料で形成してもよい。
筐体２は、断面形状が長手方向（軸方向）全体に亘って略同一の半円筒状（筒状）に形成されている。
内部で生じる熱の放熱機能を向上させるために、筐体２の外面には凹凸が付与され、表面積を大きくしている。
筐体２は、熱伝導率の大きい金属材料で形成されている。筒形状であるために、押出し成形や引き抜き成形等の加工方法により、断面形状が均一な筐体を安価に製作できる。
【００１２】
金属材料としては、アルミ合金やマグネシウム合金が多く用いられるが、他の押出し材料等でも良い。
筐体２の外周部の凹凸により、リブや放熱フィンを設けるのと同じような放熱機能を持たせることができる。
ここでは放熱性向上を目的として、筐体２の外周部に凹凸を設けるようにしているが、筐体２と後述する駆動基板（電源基板）や電気部品との絶縁性が確保できれば内周部に凹凸を設けても良い。
【００１３】
カバー３は、筐体２の外径とほぼ同じ外径（曲率）を有し、筐体２の長手方向に沿う開口部を有する断面半円形状に形成されている。
カバー３と筐体２との一体構成は円筒形状となる。
【００１４】
口金１ａ、１ｂは、筐体２とカバー３との一体構成の両端部にその外面を覆うように設けられている。
口金１ａ、１ｂには、図９に示すように、蛍光灯を点灯可能な照明器具１５０に搭載可能な端子４ａ〜４ｄが装備されている。
口金１ａ、１ｂの端子４ａ〜４ｄと、口金１ａ、１ｂに接続されたコネクタ１６から延びるリード線６ａ、６ｂを介して電源基板７に電流が供給される。
端子４ａ〜４ｄと、リード線６ａ、６ｂとを直接はんだ付けなどの方法で電気的に接続しても問題はない。
口金１ａ、１ｂは、複数のねじ５ａ〜５ｄによって筐体２に固定されることで、筐体２とこれに嵌合されたカバー３とが一体になるように包み込んでいる。
【００１５】
口金１ａ、１ｂは、ねじ止めではなく、筐体２にカシメ等の手段により固定してもよい。口金１ａ、１ｂの形状は、既存の蛍光灯の両端部に位置する口金と略同一の形状となっている。
したがって、蛍光灯が用いられている既存の照明器具に対して、直管形ＬＥＤランプ１００を蛍光灯に代えて取り付けることにより、照明器具の交換を要することなくＬＥＤランプの照明装置を構成することができる。
これにより、別途新たな照明器具を取り付ける場合に比べて、設備コストや工事コストを大幅に低減できるとともに、交換作業の労力の低減、時間短縮を実現できる。
【００１６】
図７に示すように、筐体２の平坦部（半円形の弦に相当する部分）の外側であってカバー３の内方には、カバー３に対向して、実装基板としてのＬＥＤ基板１１が粘着性を有するシート１０を介して固定されている。
シート１０は、ＬＥＤで発生する熱を筐体２に伝え易くするために、すなわち放熱を促進させるために、熱伝導性のよい材質（例えば放熱シリコ−ンゴム等）が望ましい。
電源基板７は、平坦部の内側に沿うように、筐体２の内部に配置されている。
ＬＥＤ基板１１は細長い長方形状のプリント基板であり、ＬＥＤ基板１１ａとＬＥＤ基板１１ｂとから構成されている。
【００１７】
ＬＥＤ基板１１の分割構成に対応して、シート１０も長手方向に分割されている。
ＬＥＤ基板１１ａ、１１ｂにはそれぞれ、ＥＬ効果を持つ半導体発光素子（光源）の一例としてのＬＥＤ１２ａ、１２ｂが筐体２の長手方向に所定の間隔で複数実装されている。
【００１８】
図８に示すように、電源基板７は筐体２の長手方向に延びる細長い長方形状に形成されており、その実装面には直流電源変換用の電子部品９が長手方向に間隔をおいて複数搭載されている。
【００１９】
電子部品９によって直流に整流された電流は、図１０（ａ）に示すリード線１３ａ、１３ｂを通してＬＥＤ基板１１ａ、１１ｂに供給される。
ＬＥＤ基板１１ａ、１１ｂの間は、図示しないリード線やジャンパー線などで電気的に接続されている。
本実施形態では半導体発光素子を実装するＬＥＤ基板を２枚の直列配置構成としているが、１枚や３枚以上の直列配置構成でもよく、並列構成でもよい。
【００２０】
図１及び図２に基づいて本発明の第１の実施形態を説明する。
図１に示すように、口金１ａには、外周面に開口する操作用穴２２が設けられている。
図１において、符号２０はランプ本体を示している。
【００２１】
図２（ａ）に示すように、口金１ａの内部には、コネクタ１６とリード線６ａ、６ｂとの間の電気的接続を行うスイッチ２４が設けられている。
スイッチ２４は、ランプ本体２０の長手方向に沿うように、略水平に配置された固定スイッチ片２６と、図中左側端部を固定されて斜めに配置された弾性変形可能な可動スイッチ片２８とから構成されている。
口金１ｂも同じ構成を有している。
【００２２】
図２（ａ）はスイッチ２４がオフしている状態を示しており、このままの状態で一対の端子４ａ、４ｂをソケット１５１ａに挿入し、作業者が端子４ａ、４ｂに触れても電流は流れない。なお、端子４ａ、４ｂは実際には口金１ａを貫通して内部に延びているが省略している。
端子４ａ、４ｂをソケット１５１ａに挿入した後に、スイッチ２４をオンするには、図２（ｂ）に示すように、操作用穴２２から例えば丸棒状の操作用部材３０を挿入し、可動スイッチ片２８を押圧する。
操作用部材３０は絶縁性の材料で形成されている。
可動スイッチ片２８は押圧により弾性変形しながら固定スイッチ片２６を乗り越える。この状態で操作用部材３０を引き抜くと、可動スイッチ片２８の自由端部は弾性復元力で固定スイッチ片２６の表面に当接する。
これにより、スイッチ２４はオンとなり、端子４ａ、４ｂ間が導通してランプ本体２０が点灯する。
【００２３】
口金１ａとは分離した別部材の操作用部材３０を操作用穴２２に挿入して押圧することにより初めてスイッチ２４がオンする構成であるので、直管形ＬＥＤランプの交換時の作業者の安全性を確保することができる。
作業者は、外部からスイッチ２４に触れることができず、且つ、操作用部材３０を用いなければスイッチ２４をオンすることができないので、安全性を高めることができる。
【００２４】
操作用穴２２は、一対の端子４ａ、４ｂをソケット１５１ａに挿入した状態、すなわち、直管形ＬＥＤランプ１００を照明器具１５０に装着した状態で下向きとなる位置に設けることが望ましい。
このようにすればゴミや水滴が内部に侵入するのを抑制することができる。
薄肉のシール部材で操作用穴２２を開閉するようにしてゴミ等の侵入を高精度に防止するようにしてもよい（以下の他の実施形態において同じ）。
【００２５】
本実施形態では、操作用部材３０は絶縁性の材料で形成して専用品としているが、可動スイッチ片２８の押圧部分を絶縁性とすれば金属製でもよく、例えばドライバ等で操作することが可能となる。
本実施形態では可動スイッチ片２８のみを変形させる構成としたが、押圧時固定スイッチ片２６も変形する構成としてもよい。
また、一端を回動自在に支持されたスイッチ片にバネ等の付勢部材を連結し、乗り越えた後に復元して重なり合ってオンとなるような構成としてもよい。
【００２６】
図３乃至図５に基づいて第２の実施形態を説明する。
なお、上記実施形態と同一部分は同一符号で示し、既にした構成上及び機能上の説明は適宜省略して要部のみ説明する。
図３に示すように、本実施形態における口金１ａは、ランプ本体２０の端部に固定された固定筒体３２と、固定筒体３２の外側に位置するように嵌合された可動筒体３４とからなる２重筒構造を有している。
可動筒体３４はランプ本体２０の長手方向にスライド可能となっている。
固定筒体３２には操作用穴３６が形成され、可動筒体３４には操作用穴３８が形成されている。
【００２７】
図４に示すように、固定筒体３２と可動筒体３４との間には、可動筒体３４をランプ本体２０の長手方向の端部側へ常時突出するように付勢する付勢部材としてのコイルバネ４０が設定されている。
可動筒体３４の内部には、コイルバネ４０の受け片３４ａが形成されている。
スイッチ２４の可動スイッチ片２８は固定筒体３２に設けられ、固定スイッチ片２６は可動筒体３４に設けられている。
【００２８】
図４（ａ）は直管形ＬＥＤランプ１００が照明器具１５０に装着されていない状態を示している。
この状態ではコイルバネ４０の付勢力で可動筒体３４が突出しており、可動スイッチ片２８と固定スイッチ片２６は、ランプ本体２０の長手方向で重なりが無い状態に分離している。
また、固定筒体３２の操作用穴３６と、可動筒体３４の操作用穴３８とは長手方向に位置がずれている。
直管形ＬＥＤランプ１００が照明器具１５０に装着されると、図４（ｂ）に示すように、可動筒体３４が所定寸法ｍ分、長手方向内側にスライドする。
これにより、可動スイッチ片２８と固定スイッチ片２６は、長手方向で一部が重なった状態に近づき、且つ、操作用穴３６と操作用穴３８とが一致する。
【００２９】
この状態で、図５（ａ）に示すように、操作用部材３０を重なった操作用穴から挿入してスイッチ２４をオンさせる。
オン操作は第１の実施形態と同様である。
すなわち、可動スイッチ片２８を押圧すると（図５（ｂ））、可動スイッチ片２８が弾性変形して固定スイッチ片２６を乗り越える（図５（ｃ））。
この状態で操作用部材３０を引き抜くと、可動スイッチ片２８が弾性復元力で固定スイッチ片２６に当接してスイッチ２４がオンとなる（図５（ｄ））。
本実施形態では操作用部材３０に、押し込み量を一定にするためのストッパ３０ａを設けている。このようにすれば、ストッパ３０ａが当たってから操作用部材３０を引き抜くことにより、確実にスイッチ２４をオンさせることができ、スイッチのオン操作が容易となる。
【００３０】
本実施形態では、直管形ＬＥＤランプ１００が照明器具１５０に装着されていない状態で、固定筒体３２の操作用穴３６が固定筒体３２で塞がれる構成としているので、操作用穴３６に対するゴミ等の異物混入防止対策を可動筒体３４で代替できる。
したがって、シール部材等による異物混入防止対策を実施する場合には可動筒体３４の操作用穴３８にのみ設ければよい。
勿論、直管形ＬＥＤランプ１００が照明器具１５０に装着されていない状態で固定筒体３２の操作用穴３６が外部に臨む構成としてもよい。
この場合、スイッチ２４をオンさせようと操作用部材を操作用穴３６に挿入しても、固定スイッチ片２６と可動スイッチ片２８は離れているので、オンさせることはできない。
【００３１】
コイルバネ４０の付勢力は、固定スイッチ片２６と可動スイッチ片２８との当接状態の摩擦力を超える大きさに設定されている。
このため、直管形ＬＥＤランプ１００を照明器具１５０から外すと、図４（ａ）に示すように、コイルバネ４０の付勢力で可動筒体３４が自動的に突出し、固定スイッチ片２６と可動スイッチ片２８とが分離してスイッチ２４がオフとなる。
すなわち、可動筒体３４の突出動作に連動してスイッチ２４がオフとなる。
作業者が可動筒体３４をスライドさせて照明器具１５０から外す場合でも、スライドさせた時点でスイッチ２４はオフとなるので感電の心配はない。
以上の構成、機能は口金１ｂについても同様である。
【００３２】
本実施形態では固定筒体３２の外側に可動筒体３４を設ける構成としたが、内側に設ける構成としてもよい。
また、一対の端子は可動筒体３４に設ける構成としたが、固定筒体３２に設けてもよい。
【００３３】
以上、本発明の好ましい実施の形態について説明したが、本発明はかかる特定の実施形態に限定されるものではなく、上述の説明で特に限定しない限り、特許請求の範囲に記載された本発明の趣旨の範囲内において、種々の変形・変更が可能である。
本発明の実施の形態に記載された効果は、本発明から生じる最も好適な効果を例示したに過ぎず、本発明による効果は、本発明の実施の形態に記載されたものに限定されるものではない。
【符号の説明】
【００３４】
１ａ、１ｂ  口金
４ａ、４ｂ，４ｃ、４ｄ  一対の端子
２０  ランプ本体
２２、３６、３８  操作用穴
２４  スイッチ
３０  操作用部材
３２  固定筒体
３４  可動筒体
４０  付勢部材としてのコイルバネ
１００  直管形ＬＥＤランプ
１５０  灯器具としての照明器具
２００  照明装置
【先行技術文献】
【特許文献】
【００３５】
【特許文献１】特許第４９７６５７９号公報
【図１】
2016051643.tif 000003
【図２】
2016051643.tif 000004
【図３】
2016051643.tif 000005
【図４】
2016051643.tif 000006
【図５】
2016051643.tif 000007
【図６】
2016051643.tif 000008
【図７】
2016051643.tif 000009
【図８】
2016051643.tif 000010
【図９】
2016051643.tif 000011
【図１０】
2016051643.tif 000012